(57)【要約】【課題】入力信号の特性に合った適切なメニュー項目の表示を可能にし、メニュー項目の選択時におけるユーザーの利便性を向上させる画像表示装置を提供する。【解決手段】入力端子の種別に係る入力信号の種類を検出する入力信号検出部と、複数の項目からなるメニュー項目を表示する表示部と、前記メニュー項目の配列を入れ替えるメニュー配列編集部、前記入力信号検出部、前記表示部および前記メニュー配列編集部を制御する制御部とを備え、前記制御部は、前記入力信号の種類に応じて前記メニュー項目の配列を前記メニュー配列編集部に入れ替えさせることを特徴とする画像表示装置。【選択図】図３
2016018249.tif 000002
【特許請求の範囲】
【請求項１】
入力端子の種別に係る入力信号の種類を検出する入力信号検出部と、複数のメニュー項目からなるメニュー画面を表示する表示部と、前記メニュー項目の配列を入れ替えるメニュー配列編集部、前記入力信号検出部、前記表示部および前記メニュー配列編集部を制御する制御部とを備え、
前記制御部は、前記入力信号の種類に応じて前記メニュー項目の配列を前記メニュー配列編集部に入れ替えさせることを特徴とする画像表示装置。
【請求項２】
外部からの入力を受け付ける入力部と、前記入力部からの入力により選択された前記メニュー項目の選択結果を保持する記憶部をさらに備え、
前記制御部は、１の前記メニュー項目が選択されたとき、前記メニュー項目に対応する画像を前記表示部に表示させ、前記メニュー項目の選択結果を前記入力信号の種類ごとに前記記憶部に保持させ、
前記入力信号の種類および前記選択結果に基づき、前記メニュー項目の配列を前記メニュー配列編集部に入れ替えさせる請求項１に記載の画像表示装置。
【請求項３】
前記制御部は、前記入力部からの入力により設定された前記メニュー項目の配列を前記入力信号の種類ごとに前記記憶部に保持させ、
前記入力信号の種類および前記配列に基づき、前記メニュー項目の配列を前記メニュー配列編集部に入れ替えさせる請求項２に記載の画像表示装置。
【請求項４】
前記制御部は、前記メニュー項目の選択結果を前記記憶部に保持すべきか否かを前記入力部からの入力により設定可能にする請求項２または３に記載の画像表示装置。
【請求項５】
前記入力信号を入力する入力端子部をさらに備え、
前記制御部は、前記入力端子部の接続状態に基づき前記メニュー項目の配列を前記メニュー配列編集部に入れ替えさせる請求項２〜４のいずれか１つに記載の画像表示装置。
【請求項６】
前記メニュー項目に対応する画像は、複数のサブメニュー項目からなるサブメニュー画面であり、
前記制御部は、１の前記サブメニュー項目が選択されたとき、前記サブメニュー項目の選択結果を前記入力信号の種類ごとに前記記憶部に保持させ、
前記制御部は、前記入力信号の種類および前記選択結果に基づき、前記サブメニュー項目の配列を前記メニュー配列編集部に入れ替えさせる請求項２〜５のいずれか１つに記載の画像表示装置。
【発明の詳細な説明】
【技術分野】
【０００１】
この発明は、画像表示装置に関する。
【背景技術】
【０００２】
従来、画面調整や映像調整、音声調整等の複数の設定項目を有する画像表示装置の設定方法として、複数の項目からなるメニュー画面をオンスクリーンディスプレイ（On-Screen Display。以下、ＯＳＤ）機能によって表示させ、選択されたメニュー項目に応じた設定項目を表示する設定方法が知られている。
【０００３】
このような設定方法において、ユーザーは、例えば、リモコンの上下キーを操作してメニュー項目の選択をおこなうが、所望のメニュー項目がデフォルトの選択位置よりも離れた位置にある場合、所望のメニュー項目に切り替わるまで、ユーザーはリモコンの上下キーを操作し続けなければならない。
また、設定項目の中には、調整が不要な設定項目もあり、このような設定項目が数多く存在すると、メニュー項目の切り替えが煩わしくなってユーザーに負担をかけることがある。
【０００４】
ところで、使用しないメニュー項目について、ハードディスクレコーダー等の録画用メモリを内蔵した録画装置において、複数の言語の夫々のメニュー画面を表示するとき、使用しない言語データをメニュー表示しない発明が開示されている（例えば、特許文献１を参照）。
【先行技術文献】
【特許文献】
【０００５】
【特許文献１】特開２００２−０７７７９１号公報
【発明の概要】
【発明が解決しようとする課題】
【０００６】
しかしながら、画像表示装置の場合、調整が不要となる設定項目は、入力信号の特性によって大きく異なることがある。それゆえ、使用しないメニュー項目を表示させない従来の方法を、入力信号の特性によって設定項目の優先順位が大きく異なる画像表示装置に適用しても適切に機能しないことがある。
【０００７】
この発明は、以上のような事情を考慮してなされたものであって、その目的は、入力信号の特性に合った適切なメニュー項目を表示する画像表示装置を提供することにある。
【課題を解決するための手段】
【０００８】
この発明は、入力端子の種別に係る入力信号の種類を検出する入力信号検出部と、複数の項目からなるメニュー画面を表示する表示部と、前記メニュー項目の配列を入れ替えるメニュー配列編集部、前記入力信号検出部、前記表示部および前記メニュー配列編集部を制御する制御部とを備え、前記制御部は、前記入力信号の種類に応じて前記メニュー項目の配列を前記メニュー配列編集部に入れ替えさせることを特徴とする画像表示装置を提供するものである。
【発明の効果】
【０００９】
この発明によれば、前記制御部は、前記入力信号の種類に応じて前記メニュー項目の配列を前記メニュー配列編集部に入れ替えさせることにより、入力信号の特性に合った適切なメニュー項目の表示を可能にし、メニュー項目の選択時におけるユーザーの利便性を向上させる画像表示装置を実現できる。
【図面の簡単な説明】
【００１０】
【図１】この発明の画像表示装置の概略構成を示すブロック図である。（実施形態１）
【図２】この発明の画像表示装置のメニュー項目の表示処理を示すフローチャートである。（実施形態１）
【図３】この発明の画像表示装置のメニュー項目の表示処理を示すフローチャートである。（実施形態１）
【図４】この発明の画像表示装置の設定画面の一例を示す説明図である。（実施形態１）
【図５】入力信号の種類に応じたメニュー項目の配列のデフォルト設定の一例を示す説明図である。（実施形態１）
【図６】この発明の画像表示装置のメニュー項目の配列の学習の一例を示す説明図である。（実施形態１）
【図７】この発明の画像表示装置の設定項目の配列の学習の処理を示すフローチャートである。（実施形態２）
【図８】この発明の画像表示装置の設定画面の設定項目の配列の学習の一例を示す説明図である。（実施形態２）
【図９】この発明の画像表示装置の設定画面の設定項目の配列の学習の一例を示す説明図である。（実施形態２）
【図１０】この発明の画像表示装置の設定画面の設定項目の配列の学習の一例を示す説明図である。（実施形態２）
【図１１】この発明の画像表示装置のメニュー項目および設定項目の配列の学習の処理を示すフローチャートである。（実施形態３）
【図１２】この発明の画像表示装置の設定画面のメニュー項目および設定項目の配列の設定の一例を示す説明図である。（実施形態３）
【発明を実施するための形態】
【００１１】
以下、図面を用いてこの発明をさらに詳述する。なお、以下の説明は、すべての点で例示であって、この発明を限定するものと解されるべきではない。
【００１２】
（実施形態１）
＜画像表示装置１の構成＞
この発明の実施形態１に係る画像表示装置１について説明する。
以下、図１に基づき、この発明の画像表示装置１の構成を説明する。
図１は、この発明の画像表示装置１の概略構成を示すブロック図である。
【００１３】
画像表示装置１は、動画、静止画または３Ｄ画像等の画像・映像を表示する装置であり、例えば、テレビやパーソナルコンピュータ（ＰＣ）、パブリックディスプレイ、モニター、電子黒板等のディスプレイがあげられる。
また、ディスプレイ１４とハードディスクとが一体型になった画像表示装置に限定されず、ディスプレイ１４単体の画像表示装置であってもよい。
また、据え置き型の画像表示装置に限定されず、スマートフォンやタブレット端末等の携帯型の画像表示装置であってもよい。
また、画面上にタッチすることによって操作するタッチパネル機能を有する画像表示装置であってもよい。
また、ディスプレイ１４に画像が表示される画像表示装置に限定されず、例えば、プロジェクタのようにスクリーン上に画像が投影される画像表示装置であってもよい。
【００１４】
図１に示すように、この発明の画像表示装置１は、主として、マイコン１０、信号検出部１１、スケーラー１２、画像メモリー１３、ディスプレイ１４、不揮発性メモリー１５、揮発性メモリー１６、バックライト１７、電源ユニット１８、ＤＣ−ＤＣコンバータ１９、タイマ２０、受光部２１、通信部２２および入力端子部２３を備える。
【００１５】
実施形態１において、この発明の「表示部」はディスプレイ１４によって実現し、また、この発明の「入力信号検出部」は、マイコン１０および信号検出部１１の協働によって実現し、また、この発明の「メニュー配列編集部」は、マイコン１０、スケーラー１２、画像メモリー１３、ディスプレイ１４、不揮発性メモリー１５および揮発性メモリー１６の協働によって実現し、また、この発明の「制御部」は、マイコン１０によって実現する。
また、この発明の「記憶部」は、不揮発性メモリー１５および揮発性メモリー１６によって実現し、また、この発明の「入力部」は、図示しないリモコン装置および受光部２１の協働によって実現する。
【００１６】
以下、図１に示す各構成要素を説明する。
マイコン１０は、マイクロプロセッサ(Microprocessor)を主体とする回路であり、各種装置の制御処理やオペレーティングシステム、アプリケーションソフトウェアなどの処理を行う演算装置である。また、周辺回路として、特定の用途のために設計、製造される集積回路であるＡＳＩＣ（Application Specific Integrated Circuit）、その他の演算機能を有する回路を含んでいてもよい。
【００１７】
信号検出部１１は、図示しない外部機器から入力端子２３１〜２３４を通じて入力された入力信号の有無および種類を検出する部分である。
入力信号の種類としては、例えば、ＶＧＡ端子やコンポーネント端子等のアナログ入力端子、ＤＶＩ端子やＨＤＭＩ（登録商標）端子やＤｉｓｐｌａｙＰｏｒｔ端子等のデジタル入力素子、またはＵＳＢコネクタ等の制御系の入力端子に係る入力信号があげられる。
また、入力信号の有無に関わらず、入力端子２３１〜２３４に端子が物理的に接続されたか否かによって入力信号の種類を検出するものであってもよい。
また、有線による入力信号の検出に限らず、Ｂｌｕｅｔｏｏｔｈ（登録商標）や無線ＬＡＮなどの無線による入力信号を検出するものであってもよい。
【００１８】
スケーラー１２は、画像データの処理を行う部分である。例えば、画像補整、カラー補正、γ補正、倍速処理、ＯＳＤ生成およびＯＳＤ重畳などの処理を行う。
【００１９】
画像メモリー１３は、スケーラー１２で処理された画像データを格納する部分である。例えば、ＦＲＣ（Frame Rate Conversion）などに用いられる。
【００２０】
ディスプレイ１４は、入力画像や設定画面１４０などの各種情報の表示を行う部分である。ディスプレイ１４は、例えば、ＣＲＴディスプレイ、液晶ディスプレイ、ＥＬディスプレイなどで構成され、オペレーティングシステムやアプリケーションソフトウェアが処理状態などの電子的なデータを表示するためのモニターやラインディスプレイなどの表示装置である。
【００２１】
また、ディスプレイ１４の表示面をタッチパネルで覆い、表示面に接触したユーザーの指先等の位置を検出してタッチパネル操作を行うものであってもよい。位置検知方式としては、電圧を検知する抵抗膜方式、静電容量の変化を検知する静電容量方式、赤外光を遮断して検知する光学方式、超音波を検知する超音波方式、画像や距離をカメラで検知するカメラ方式、電子ペンを指示体として用いる電磁誘導方式などのいずれの方式であってもよい。また、赤外線等を用いて指先等の位置を非接触で感知できる方式であってもよい。
【００２２】
不揮発性メモリー１５は、制御プログラムやログ情報、ユーザー設定情報、システム情報用の固定テキストなど、画像表示装置１の各種機能を実現するために必要な情報を格納する部分である。例えば、フラッシュメモリーやＥＥＰＲＯＭなどの記憶媒体が用いられる。
【００２３】
揮発性メモリー１６は、各種データや取引結果を一時的に記憶する部分である。揮発性メモリー１６は、プログラムのワークエリア等としても使用する。揮発性メモリー１６として、例えば、ＳＲＡＭなどの半導体素子やハードディスク等の記憶媒体が用いられる。
【００２４】
バックライト１７は、ディスプレイ１４の背面から液晶を照明する部分である。バックライト１７の光源としては、例えば、ＬＥＤや冷陰極蛍光ランプ（ＣＣＦＬ）などが用いられる。また、直下型方式、エッジライト方式その他の方式が用いられる。
【００２５】
電源ユニット１８は、外部の交流電源を直流に変換して画像表示装置１の各部分に電源を供給する部分である。電源ユニット１８としては、例えば、ＡＴ電源、ＡＴＸ電源またはＳＦＸ電源などが用いられる。
【００２６】
ＤＣ−ＤＣコンバータ１９は、電源ユニット１８から入力された直流電流を降圧または昇圧して画像表示装置１の各部分に必要な電源を供給する部分である。
【００２７】
タイマ２０は、画像表示装置１の各種処理の経過時間を計測する部分である。例えば、ＯＳＤ機能によりディスプレイ１４に表示された設定画面１４０の表示時間を計測するために用いられる。
【００２８】
受光部２１は、リモコンからの赤外線（ＩＲ）信号を受光する部分である。
リモコンからの赤外線信号の受光を通じてユーザーからの指令を受け付ける。
【００２９】
通信部２２は、ネットワークを介して、外部機器と有線または無線による通信を行い、データを送受信する部分である。ネットワークとしては、ＬＡＮ、インターネットなどの広域ネットワーク（ＷＡＮ）、専用の通信回線などが用いられる。
無線通信規格としては、例えば、Ｂｌｕｅｔｏｏｔｈ（登録商標）や無線ＬＡＮの標準規格であるＩＥＥＥ８０２．１１ａ、ＩＥＥＥ８０２．１１ｂ、ＩＥＥＥ８０２．１１ｇ、ＩＥＥＥ８０２．１１ｎ等があげられる。
通信先の外部機器としては、例えば、ＰＣ、携帯端末、サーバなど、有線または無線による通信が可能なものがあげられ、レガシインターフェースである、ＲＳ−２３２Ｃなども含まれる。
【００３０】
入力端子部２３は、外部機器の端子を接続して信号を入力する部分である。
図１の入力端子部２３は、外部機器の端子と接続可能な４つの入力端子２３１〜２３４を有するが、これは一例であり、任意の数の入力端子を有するものであってもよい。
入力端子部２３に接続可能な端子としては、例えば、ＶＧＡ端子やコンポーネント端子等のアナログ入力端子、ＤＶＩ端子やＨＤＭＩ端子やＤｉｓｐｌａｙＰｏｒｔ端子等のデジタル入力素子、またはＵＳＢコネクタ等の制御系の入力端子があげられる。
外部機器としては、例えば、ＰＣ、携帯端末、レコーダー、ビデオカメラなど、動画または静止画の信号を出力可能なものがあげられる。
【００３１】
＜画像表示装置１の設定画面１４０の表示処理手順＞
次に、図２および図３に基づき、画像表示装置１の設定画面１４０の表示処理の手順について説明する。
図２および図３は、この発明の画像表示装置１の設定画面１４０の表示処理を示すフローチャートである。
【００３２】
画像表示装置１の電源がＯＮになった後、マイコン１０は、以下のステップに示す手順に従う。
【００３３】
図２のステップＳ１において、マイコン１０は、信号検出部１１が入力信号を検出したか否かを判定する（ステップＳ１）。
信号検出部１１が入力信号を検出した場合（ステップＳ１の判定がＹｅｓの場合）、マイコン１０は、ステップＳ２の処理をおこなう。
一方、信号検出部１１が入力信号を検出していない場合（ステップＳ１の判定がＮｏの場合）、マイコン１０は、ステップＳ１の判定を繰り返す（ステップＳ１）。
【００３４】
なお、信号検出部１１は、入力信号の有無に関わらず、入力端子部２３への端子の物理的な接続の有無を検出するようにしてもよい。
【００３５】
次に、ステップＳ２において、マイコン１０は、受信した入力信号の種類を信号検出部１１に特定させる（ステップＳ１０）。
入力信号の種類としては、例えば、ＶＧＡ端子やコンポーネント端子等のアナログ入力端子、ＤＶＩ端子やＨＤＭＩ端子やＤｉｓｐｌａｙＰｏｒｔ端子等のデジタル入力素子、またはＵＳＢコネクタ等の制御系の入力端子に係る入力信号があげられる。
また、入力端子２３１〜２３４に端子が物理的に接続されたか否かによって入力信号の種類を検出するものであってもよい。
【００３６】
次に、ステップＳ３において、マイコン１０は、不揮発性メモリー１５にメニュー項目の配列の設定データが保存されているか否かを判定する（ステップＳ３）。
不揮発性メモリー１５に保存されたメニュー項目の配列の設定データが存在する場合（ステップＳ３の判定がＹｅｓの場合）、マイコン１０は、ステップＳ４の判定をおこなう（ステップＳ４）。
一方、不揮発性メモリー１５にメニュー項目の配列の設定データが保存されていない場合（ステップＳ３の判定がＮｏの場合）、マイコン１０は、ステップＳ５において、入力信号の種類ごとに不揮発性メモリー１５に予め保存されたデフォルトのメニュー項目の配列のデータを読み込む（ステップＳ５）。
【００３７】
次に、ステップＳ４において、マイコン１０は、メニュー項目の選択学習モードがＯＮになっているか否かを判定する（ステップＳ４）。
メニュー項目の選択学習モードがＯＮになっている場合（ステップＳ４の判定がＹｅｓの場合）、マイコン１０は、ステップＳ６において、入力信号の種類ごとに不揮発性メモリー１５に保存されたメニュー項目の配列の設定データを読み込む（ステップＳ６）
一方、メニュー項目の選択学習モードがＯＮになっていない（またはＯＦＦになっている）場合（ステップＳ４の判定がＮｏの場合）、マイコン１０は、ステップＳ５の処理をおこなう。
【００３８】
メニュー項目の選択学習モードは、メニュー項目の選択結果を学習してメニュー項目の配列に反映させるモードである。
なお、ユーザーは、メニュー項目の選択学習モードのＯＮまたはＯＦＦを予め設定しておくものとする。
【００３９】
次に、図３のステップＳ７において、マイコン１０は、受光部２１が設定画面１４０の表示指令を受信したか否かを判定する（ステップＳ７）。
受光部２１が設定画面１４０の表示指令を受信した場合（ステップＳ７の判定がＹｅｓの場合）、マイコン１０は、ステップＳ８の判定をおこなう（ステップＳ８）。
一方、受光部２１が設定画面１４０の表示指令を受信しなかった場合（ステップＳ７の判定がＮｏの場合）、マイコン１０は、ステップＳ１の判定に戻る（ステップＳ１）。
【００４０】
次に、ステップＳ８において、マイコン１０は、メニュー項目の選択学習モードがＯＮになっているか否かを判定する（ステップＳ８）。
メニュー項目の選択学習モードがＯＮになっている場合（ステップＳ８の判定がＹｅｓの場合）、マイコン１０は、ステップＳ９の処理をおこなう（ステップＳ９）。
一方、メニュー項目の選択学習モードがＯＮになっていない（またはＯＦＦになっている）場合（ステップＳ８の判定がＮｏの場合）、マイコン１０は、ステップＳ１３の判定をおこなう（ステップＳ１３）。
【００４１】
次に、ステップＳ９において、マイコン１０は、読み込んだメニュー項目の配列の設定データを反映したメニュー画面１４１を含む設定画面１４０を表示させる（ステップＳ９）。
【００４２】
次に、ステップＳ１０において、マイコン１０は、メニュー画面１４１のうち、１のメニュー項目が選択されたか否かを判定する（ステップＳ１０）。
１のメニュー項目が選択された場合（ステップＳ１０の判定がＹｅｓの場合）、マイコン１０は、ステップＳ１１において、選択結果をメニュー項目の配列の設定に反映させる（ステップＳ１１）。
【００４３】
なお、マイコン１０は、ディスプレイ１４に表示中のメニュー画面１４１にリアルタイムに選択結果を反映させるのではなく、メニュー項目の配列の設定にのみ反映させるものとする。
【００４４】
続いてステップＳ１２において、マイコン１０は、選択結果が反映されたメニュー項目の配列の設定データを不揮発性メモリー１５に保存する（ステップＳ１２）。
【００４５】
一方、ステップＳ１０において、１のメニュー項目が選択されなかった場合（ステップＳ１０の判定がＮｏの場合）、マイコン１０は、ステップＳ１３において、受光部２１がメニュー項目の切替指令を受信したか否かを判定する（ステップＳ１３）。
受光部２１がメニュー項目の切替指令を受信した場合（ステップＳ１３の判定がＹｅｓの場合）、マイコン１０は、ステップＳ１４において、メニュー項目を切り替えた後（ステップＳ１４）、ステップＳ８の判定に戻る（ステップＳ８）。
一方、受光部２１がメニュー項目の切替指令を受信していない場合（ステップＳ１３の判定がＮｏの場合）、マイコン１０は、ステップＳ１５の判定をおこなう（ステップＳ１５）。
【００４６】
次に、ステップＳ１５において、マイコン１０は、受光部２１が設定画面１４０の表示終了指令を受信したか否かを判定する（ステップＳ１５）。
受光部２１が設定画面１４０の終了指令を受信した場合（ステップＳ１５の判定がＹｅｓの場合）、マイコン１０は、ステップＳ１６において、設定画面１４０の表示を終了させた後（ステップＳ１６）、ステップＳ１の判定に戻る（ステップＳ１）。
一方、設定画面１４０の表示終了指令を受信していない場合（ステップＳ１５の判定がＮｏの場合）、マイコン１０は、ステップＳ８の判定に戻る（ステップＳ８）。
【００４７】
このようにして、入力信号の種類ごとにユーザーが実際に選択したメニュー項目を学習することによって、入力信号の多様な特性に応じた利便性の高いメニュー項目の表示を実現することができる。
【００４８】
＜この発明の画像表示装置１のメニュー項目の配列の設定の一例＞
次に、図４〜図６に基づき、この発明の画像表示装置１の設定のメニュー項目の配列の設定の一例について説明する。
図４は、この発明の画像表示装置１の設定画面１４０の一例を示す説明図である。
【００４９】
画像表示装置１の設定画面１４０は、ＯＳＤ機能により表示され、例えば、図４（Ａ）（Ｂ）に示すように、左側に複数のメニュー項目からなるメニュー画面１４１が表示され、メニュー画面１４１の右側に、各メニュー項目に対応した設定メニュー１４２が表示される。
図４（Ａ）において、メニュー項目は、上から順に「画面調整」、「映像調整」、「音声調整」、「本体設定」、「モニター」、「マルチ／ＰＩＰ」および「その他」である。
【００５０】
これらのメニュー項目のうち、「画面調整」の項目が選択されると、図４（Ａ）に示すように、「画面調整」のメニュー項目がハイライト表示され、メニュー画面１４１の右側に「画面調整」の設定メニュー１４２が表示される。
また、「映像調整」の項目が選択されると、図４（Ｂ）に示すように、「映像調整」の項目がハイライト表示され、メニュー画面１４１の右側に「映像調整」の設定メニュー１４２が表示される。
【００５１】
図４（Ａ）に示すように、「画面調整」の設定メニュー１４２は、「自動調整」、「クロック」、「フェーズ」、「水平位置」、「垂直位置」、「水平サイズ」、「垂直サイズ」、「解像度設定」および「リセット」の９つの設定項目からなり、ユーザーは各設定項目を選択して設定をおこなう。
また、図４（Ｂ）に示すように、「映像調整」の設定メニュー１４２は、「明るさ」、「コントラスト」、「黒レベル」、「色合い」、「色の濃さ」、「画質」、「色調整」、「詳細設定」および「リセット」の９つの設定項目からなる。
【００５２】
図５は、入力信号の種類に応じたメニュー項目の配列のデフォルト設定の一例を示す説明図である。
図５（Ａ）〜（Ｅ）に示すように、信号検出部１１が検出した入力信号の種類に応じて、メニュー項目の配列のデフォルト設定が異なる。
例えば、図５（Ａ）は、ＶＧＡ（ＲＧＢ）信号入力時、図５（Ｂ）は、ＤｉｓｐｌａｙＰｏｒｔ信号入力時、図５（Ｃ）は、ＨＤＭＩ信号入力時、図５（Ｄ）は、Ｃｏｍｐｏｎｅｎｔ（Ｃｏｍｐｏｓｉｔ）信号入力時、図５（Ｅ）は、マルチディスプレイ接続時のメニュー項目の配列のデフォルト設定である。
【００５３】
ＶＧＡ（ＲＧＢ）端子は、アナログＲＧＢ出力を有するＰＣ（以下、アナログＰＣ）の映像端子である。アナログ信号の場合、映像信号が悪くなると画面のずれが生じて何度も調整する必要が生じることがあるため、画面調整の機会が比較的多いものと考えられる。また、ユーザーが好みの色調整をおこなうことも多いことから、「映像調整」の優先順位も高いものと考えられる。それゆえ、「画面調整」および「映像調整」の項目をメニュー画面１４１の上位に表示させる。
具体的には、図５（Ａ）に示すように、信号検出部１１がＶＧＡ（ＲＧＢ）端子を通じて入力された入力信号を検出した場合、マイコン１０は、上から順に「画面調整」、「映像調整」、「音声調整」、「本体設定」、「モニター」、「マルチ／ＰＩＰ」および「その他」の項目からなる設定画面１４０を表示させる。
【００５４】
Ｄｉｓｐｌａｙｐｏｒｔ端子は、デジタルＲＧＢ出力を有するＰＣ（以下、デジタルＰＣ）の映像・音声端子である。デジタル信号の場合、伝送方式の中に画像表示位置を決める信号を検出することによって画像表示位置が決定されるため、表示位置の調整が不要であり、「画面調整」は、色調整などの表示位置以外の調整に限られるものと考えられる。それゆえ、ＶＧＡ（ＲＧＢ）端子の場合と比べて、「画面調整」の項目の優先順位を下げて表示させる。
具体的には、図５（Ｂ）に示すように、信号検出部１１がＤｉｓｐｌａｙＰｏｒｔ端子を通じて入力された入力信号を検出した場合、マイコン１０は、上から順に「映像調整」、「音声調整」、「本体設定」、「モニター」、「マルチ／ＰＩＰ」、「画面調整」および「その他」の項目からなる設定画面１４０を表示させる。
【００５５】
ＨＤＭＩ端子は、デジタルＰＣやブルーレイレコーダーなどのデジタル家電製品の映像・音声端子であるため、ＤｉｓｐｌａｙＰｏｒｔ端子の場合と同様に、「画面調整」の必要性はほとんどないものと考えられる。また、デジタル家電製品の場合、「音声調整」の機会が「映像調整」よりも多いものと考えられるため、「音声調整」の項目をメニュー画面１４１の上位に表示させる。
具体的には、図５（Ｃ）に示すように、信号検出部１１がＨＤＭＩ（登録商標）端子を通じて入力された入力信号を検出した場合、マイコン１０は、上から順に「音声調整」、「映像調整」、「本体設定」、「モニター」、「マルチ／ＰＩＰ」、「その他」および「画面調整」の項目からなる設定画面１４０を表示させる。
【００５６】
Ｃｏｍｐｏｎｅｎｔ端子は、テレビやビデオなどの映像機器のアナログの映像端子であるため、ＶＧＡ（ＲＧＢ）端子と同様に、画面調整の機会が比較的多いものと考えられる。
また、アナログＰＣの場合と比べて、映像機器においては、「画面調整」の必要性がほとんどないものと考えられるため、「画面調整」の項目をメニュー画面１４１の最下位に表示させる。
具体的には、図５（Ｄ）に示すように、信号検出部１１がＣｏｍｐｏｎｅｎｔ（Ｃｏｍｐｏｓｉｔ）端子を通じて入力された入力信号を検出した場合、マイコン１０は、上から順に「画面調整」、「映像調整」、「音声調整」、「本体設定」、「モニター」、「マルチ／ＰＩＰ」および「その他」の項目からなる設定画面１４０を表示させる。
【００５７】
マルチディスプレイ接続時は、テレビやビデオなどの映像機器のアナログの映像端子であるため、基本的にＣｏｍｐｏｎｅｎｔ端子接続時と同じであるが、マルチディスプレイ表示設定をおこなう頻度が多くなるものと考えられるため、「マルチ／ＰＩＰ」の項目をメニュー画面１４１の最上位に表示させる。
具体的には、図５（Ｅ）に示すように、信号検出部１１が複数の画像表示装置１を縦横に配列するマルチディスプレイ接続を検出した場合、マイコン１０は、上から順に「マルチ／ＰＩＰ」、「映像調整」、「音声調整」、「本体設定」、「モニター」、「その他」および「画面調整」の項目からなる設定画面１４０を表示させる。
【００５８】
このように、入力信号の特性に応じて、メニュー項目の配列のデフォルト設定が変更されるため、リモコン操作による所望のメニュー項目の切り替えが容易となり、ユーザーの利便性が向上する。
【００５９】
次に、図６に基づき、メニュー項目の配列の学習の一例について説明する。
図６は、この発明のメニュー項目の配列の学習の一例を示す説明図である。
【００６０】
信号検出部１１がＶＧＡ（ＲＧＢ）端子からの入力信号を検出したとき、マイコン１０は、図６（Ａ）に示すように、ＶＧＡ（ＲＧＢ）入力時のメニュー項目の配列のデフォルト設定を示す。
【００６１】
ここで、図６（Ｂ）に示すように、ユーザーが「映像調整」の項目を選択し、映像調整の設定項目の変更をおこなったとき、図６（Ｄ）に示すように、マイコン１０は、メニュー画面１４１の最上位に「映像調整」の項目を移動させた後、メニュー項目の配列の設定データを不揮発性メモリー１５に保存する。
【００６２】
続いて、図６（Ｃ）に示すように、ユーザーが「音声調整」の項目を選択し、音声調整の設定項目の変更をおこなったとき、図６（Ｅ）に示すように、マイコン１０は、メニュー画面１４１の配列設定の最上位に「音声調整」の項目を移動させた後、メニュー項目の配列の設定データを不揮発性メモリー１５に保存する。
【００６３】
ここで、図６（Ｄ）（Ｅ）の設定の変更は、現在表示中のメニュー画面１４１にリアルタイムに反映するのではなく、メニュー画面１４１を再表示させたときに反映するものとする。
また、このようにして変更されたメニュー項目の配列は、入力信号の種類ごとに保存するものとする。
【００６４】
なお、メニュー項目の配列の設定の変更方法は、図６（Ｄ）（Ｅ）の方法に限られず、例えば、メニュー項目の過去の選択回数順や選択頻度順に基づいてメニュー項目の配列の設定を変更してもよい。
【００６５】
このようにして、入力信号の種類ごとにユーザーが実際に選択したメニュー項目を学習して、その結果を反映させることによって、入力信号の多様な特性に応じた利便性の高いメニュー項目の表示を実現することができる。
【００６６】
（実施形態２）
＜画像表示装置１の設定項目の学習手順＞
次に、図７に基づき、この発明の実際形態２に係る画像表示装置１の設定項目の学習手順について説明する。
図７は、この発明の画像表示装置１の設定項目の配列の学習の処理を示すフローチャートである。
図７のフローチャートは、図３のフローチャートのステップＳ１０以降の処理に対応する。
図７のステップＳ２１〜Ｓ３０のうち、ステップＳ２１およびＳ２７〜Ｓ３０はそれぞれ、図３のステップＳ１０およびＳ１３〜Ｓ１６と同じ処理であるため、ここでは説明を省略する。
以下、図３に記載のないステップＳ２２〜Ｓ２６の処理について説明する。
【００６７】
図７のステップＳ２１において、１のメニュー項目が選択された場合（ステップＳ２１の判定がＹｅｓの場合）、マイコン１０は、ステップＳ２２において、入力信号の種類ごとに不揮発性メモリー１５に保存された設定項目の配列の設定データを読み込む（ステップＳ２２）。
【００６８】
なお、メニュー項目の選択学習モードと同様に、設定項目の選択学習モードのＯＮまたはＯＦＦを予め設定しておき、設定項目の選択学習モードがＯＦＦの場合は、ステップＳ２２，２４〜２６の処理をとばすようにしてもよい。
【００６９】
次に、ステップＳ２３において、マイコン１０は、表示不可項目（グレーアウト表示項目１４３）の配列を入れ替えた後、ディスプレイ１４に表示させる（ステップＳ２３）。
ここで、表示不可項目（グレーアウト表示項目１４３）は、ユーザーによる設定が不要（または不可）な項目であることを示すため、薄い灰色（グレーアウト表示）で表示された項目である。
グレーアウト表示項目１４３の配列入れ替えの一例としては、例えば、グレーアウト表示項目１４３を設定メニュー１４２の最下位に表示されるように入れ替える。
【００７０】
続いて、ステップＳ２４において、マイコン１０は、設定項目が変更されたか否かを判定する（ステップＳ２４）。
設定項目が変更された場合（ステップＳ２４の判定がＹｅｓの場合）、マイコン１０は、ステップＳ２５において、変更結果を設定項目の配列の設定に反映させる（ステップＳ２５）。
【００７１】
なお、マイコン１０は、ディスプレイ１４に表示中の設定メニュー１４２にリアルタイムに変更結果を反映させるのではなく、設定項目の配列の設定に反映させるのみとする。
【００７２】
続いてステップＳ２６において、マイコン１０は、変更結果が反映された設定項目の配列の設定データを不揮発性メモリー１５に保存する（ステップＳ２６）。
【００７３】
一方、ステップＳ２４において、設定項目が変更されていない場合（ステップＳ２４の判定がＮｏの場合）、マイコン１０は、ステップＳ２７の判定をおこなう（ステップＳ２７）。
【００７４】
このようにして、入力信号の種類ごとにユーザーが実際に選択した設定項目を学習することにより、入力信号の特性だけでなく、ユーザーの選択の傾向に応じた利便性の高い設定メニュー１４２の表示を実現することができる。
【００７５】
＜この発明の画像表示装置１の設定項目の配列の学習の一例＞
次に、図８〜図１０に基づき、この発明の実施形態２に係る画像表示装置１の設定画面１４０の設定項目の配列の設定の一例について説明する。
図８〜図１０は、この発明の画像表示装置１の設定画面１４０の設定項目の配列の学習の一例を示す説明図である。
【００７６】
画像表示装置１の設定画面１４０は、ＯＳＤ機能により表示され、例えば、図８（Ａ）に示すように、左側に複数のメニュー項目からなるメニュー画面１４１が表示され、メニュー画面１４１の右側に各メニュー項目に対応した設定メニュー１４２が表示される。
図８（Ａ）において、メニュー項目は、上から順に「画面調整」、「映像調整」、「音声調整」、「本体設定」、「モニター」、「マルチ／ＰＩＰ」および「その他」である。
【００７７】
これらのメニュー項目のうち、「その他」の項目が選択されると、図８（Ａ）に示すように、「その他」の項目がハイライト表示され、メニュー画面１４１の右側に「その他」の設定メニュー１４２が表示される。
【００７８】
図８（Ａ）に示すように、「画面調整」の設定メニュー１４２は、上から順に「スクリーンモーション」、「パワーマネジメント」、「接続時自動入力切換」、「無信号検出時自動入力切換」、「自動入力切換優先順位」および「ロゴ画面」の設定項目からなる。
【００７９】
ここで、上記６つの設定項目のうち、「自動入力切換優先順位」のグレーアウト表示項目１４３は、ユーザーによる設定が不要（または不可）な項目であり、薄い灰色で表示（グレーアウト表示）されている。
【００８０】
図８（Ｂ）に示すように、マイコン１０は、グレーアウト表示項目１４３を設定メニュー１４２の最下位の位置へ移動させる。
また、ある項目を設定した結果、別の項目の設定が不要（または不可）になった場合、マイコン１０は、当該別の項目をグレーアウト表示すると同時に、設定メニュー１４２の最下位に移動させる。
【００８１】
＜この発明の画像表示装置１の設定項目が複数頁にまたがって表示される場合の設定項目の配列の学習の一例＞
次に、図９および図１０に基づき、設定項目が複数頁にまたがって表示される場合の設定項目の配列の学習について説明する。
【００８２】
図９（Ａ）において、メニュー項目は、上から順に「画面調整」、「映像調整」、「音声調整」、「本体設定」、「モニター」、「マルチ／ＰＩＰ」および「その他」である。
【００８３】
これらのメニュー項目のうち、「機能切換」のメニュー項目が選択されると、図９（Ａ）に示すように、「機能切換」のメニュー項目がハイライト表示され、メニュー画面１４１の右側に「機能切換」の設定メニュー１４２が表示される。
【００８４】
図９（Ａ）に示すように、１頁目の設定メニュー１４２に表「機能切換」のメニュー項目が選択されたとき、「日付・時刻設定」、「日付・時刻形式」、「スケジュール」、「端子設定」、「音声設定」、「入力解像度」および「パワーマネジメント」の項目が示される（図９（Ａ）参照）。
また、図９（Ｂ）に示すように、２頁目の設定メニュー１４２に「音声出力（ＲＣＡ）」、「音声レベル（ステレオミニ）」、「セルフアジャスト」、「自動入力切換」および「タッチパネルモード」の項目が表示される（図９（Ｂ）参照）。
【００８５】
ここで、図９（Ｂ）に示すように、２頁目の設定メニュー１４２のうち「音声出力（ＲＣＡ）」の項目が変更された場合、図１０（Ａ）に示すように、設定項目の配列の設定において、「音声出力（ＲＣＡ）」の項目を１頁目の設定メニュー１４２の最上位に移動させる。また、その他の項目については、項目を順次１つずつ繰り下げる。また、１頁目の設定メニュー１４２の最下位の項目は、２頁目の設定メニュー１４２の最上位の項目に移動する。
【００８６】
このようにして変更した設定項目は、現在表示中の設定メニュー１４２にリアルタイムに反映するのではなく、設定メニュー１４２を再表示させたときに反映するものとする。
また、このようにして変更された設定項目は、入力信号の種類ごとに保存するものとする。
【００８７】
なお、設定項目の配列の設定の変更方法は、図８（Ｂ）および図１０（Ａ）の方法に限られず、例えば、設定項目の過去の選択回数順や選択頻度順に基づいて設定項目の配列の設定を変更してもよい。
【００８８】
このようにして、入力信号の種類ごとに、ユーザーが実際に選択した設定項目を学習することにより、入力信号の特性だけでなく、ユーザーの選択の傾向に応じた利便性の高いメニュー表示を実現することができる。
【００８９】
（実施形態３）
＜画像表示装置１のメニュー項目および設定項目の学習手順＞
次に、図１１に基づき、この発明の実際形態３に係る画像表示装置１のメニュー項目および設定項目の学習の手順について説明する。
図１１は、この発明の画像表示装置１のメニュー項目および設定項目の配列の学習の処理を示すフローチャートである。
図１１のステップＳ３１〜Ｓ４０のうち、ステップＳ３１〜Ｓ３４およびＳ３７〜Ｓ４０はそれぞれ、図７のステップＳ２１〜Ｓ２４およびＳ２７〜Ｓ３０と同じ処理であるため、ここでは説明を省略する。
以下、図７に記載のないステップＳ３５およびＳ３６の処理について説明する。
【００９０】
ステップＳ３４において、設定項目が変更された場合（ステップＳ３４の判定がＹｅｓの場合）、マイコン１０は、ステップＳ３５において、メニュー項目および設定項目の配列の設定にメニュー項目の選択結果および設定項目の変更結果を反映させる（ステップＳ３５）。
【００９１】
なお、マイコン１０は、ディスプレイ１４に表示中の設定メニュー１４２にリアルタイムに変更結果を反映させるのではなく、設定項目の配列の設定にのみ反映させるものとする。
【００９２】
続いてステップＳ３６において、マイコン１０は、選択結果が反映されたメニュー項目および変更結果が反映された設定項目の配列の設定データを不揮発性メモリー１５に保存する（ステップＳ３６）。
【００９３】
このようにして、入力信号の種類ごとに、ユーザーが実際に選択したメニュー項目および変更をおこなった設定項目を学習することにより、入力信号の特性だけでなく、ユーザーの選択および変更の傾向に応じた利便性の高いメニュー項目および設定項目の表示を実現することができる。
【００９４】
＜この発明の画像表示装置１のメニュー項目および設定項目の配列の学習の一例＞
次に、図９および図１２に基づき、この発明の実施形態２に係る画像表示装置１の設定画面１４０のメニュー項目および設定項目の配列の設定の一例について説明する。
図１２は、この発明の画像表示装置１の設定画面１４０のメニュー項目および設定項目の配列の学習の一例を示す説明図である。
【００９５】
図９（Ｂ）において、２頁目の設定メニュー１４２のうち「音声出力（ＲＣＡ）」の項目の変更がなされた場合、図１２（Ａ）（Ｂ）に示すように、「機能切換」のメニュー項目をメニュー画面１４１の最上位に移動させ、「音声出力（ＲＣＡ）」の設定項目を１頁目の設定メニュー１４２の最上位に移動させる。その他の項目については、項目を順次１つずつ繰り下げる。また、１頁目の設定メニュー１４２の最下位の項目は、２頁の設定メニュー１４２の最上位の項目に移動する。
【００９６】
なお、このようにして変更されたメニュー項目および設定項目は、現在表示中のメニュー項目および設定項目にリアルタイムに反映するのではなく、メニュー項目および設定項目を再表示させたときに反映するものとする。
また、このようにして変更されたメニュー項目および設定項目は、入力信号の種類ごとに保存するものとする。
【００９７】
なお、メニュー項目および設定項目の配列の設定の変更方法は、図１２の方法に限られず、例えば、メニュー項目および設定項目の過去の選択回数順や選択頻度順に基づいて設定項目の配列の設定を変更してもよい。
【００９８】
このようにして、入力信号の種類ごとに、ユーザーの実際の設定状況に応じて、メニュー項目および設定項目の変更を反映させることにより、入力信号の特性だけでなく、ユーザーの選択の傾向に応じた利便性の高いメニュー表示を実現することができる。
【００９９】
（その他の実施形態）
１．実施形態１〜３において、メニュー項目または設定項目の配列を複数種類の入力信号の組み合わせに応じて変更するものであってもよい。（実施形態４）
【０１００】
例えば、ＶＧＡ（ＲＧＢ）端子のみを接続した場合と、ＶＧＡ（ＲＧＢ）端子および音声（ＲＣＡ）端子を接続した場合、ならびに音声（ＲＣＡ端子）のみを接続した場合とで、メニュー項目または設定項目の配列を変更する。
【０１０１】
このようにすれば、複数種類の入力信号の組み合わせに応じて、ユーザーが実際に選択したメニュー項目または設定項目を学習することにより、入力信号の多様な組み合わせの特性に応じた利便性の高いメニュー項目または設定項目の表示を実現することができる。
【０１０２】
２．実施形態１〜３において、映像信号および音声信号の他、ＵＳＢ信号などの制御系信号や外部入力信号の有無に応じてメニュー項目または設定項目の配列を変更するものであってもよい。（実施形態５）
【０１０３】
このようにすれば、映像信号および音声信号の他、ＵＳＢ信号などの制御系信号や外部入力信号の有無に応じて、ユーザーが実際に選択したメニュー項目または設定項目を学習することにより、それぞれの入力信号の特性に合ったより適切なメニュー項目または設定項目の表示を実現することができる。
【０１０４】
３．実施形態１〜３において、信号検出部１１がメニュー画面１４１または設定メニュー１４２の表示中に入力信号の切断を検出したとき、当該切断を反映して、メニュー項目または設定項目の配列を変更するものであってもよい。（実施形態６）
【０１０５】
このようにすれば、メニュー画面１４１または設定メニュー１４２の表示中に入力信号の切断があったときでも、入力信号の切断を反映した適切なメニュー項目または設定項目の表示を実現することができる。
【０１０６】
例えば、１の入力信号のみが入力されている場合において、当該１の入力信号が切断されたとき、メニュー項目または設定項目のデフォルトの配列の設定を反映させる。
また、２以上の入力信号が入力されている場合において、信号検出部１１が現在ディスプレイ１４に表示中の入力信号の切断を検出したとき、残りの入力信号に係るメニュー項目または設定項目の配列の設定を反映させる。また、複数種類の入力信号が残っている場合は、入力端子が接続された順番等に基づき、残りの入力信号に係るメニュー項目または設定項目の配列の設定を反映させる。
【０１０７】
４．実施形態１〜３または６において、信号検出部１１がメニュー画面１４１または設定メニュー１４２の表示中に入力信号の変更または切断を検出したとき、ディスプレイ１４上にメニュー項目または設定項目の配列の設定変更をただちに反映させるべきか否かをユーザーに問い合わせるポップアップ表示をおこない、ユーザーがメニュー項目または設定項目の配列の設定変更を反映させる選択をしたとき、メニュー項目または設定項目の配列の変更を反映するようにしてもよい。（実施形態７）
【０１０８】
このようにすれば、メニュー画面１４１または設定メニュー１４２の表示中に入力信号の変更または切断があったとき、ディスプレイ１４上にメニュー項目または設定項目の配列の設定変更をただちに反映させるべきか否か、ユーザーが選択できる画像表示装置１を実現できる。
【０１０９】
５．実施形態１〜３において、メニュー項目または設定項目の切り替えをおこなった時点でメニュー項目または設定項目の配列の設定を反映させるものであってもよい。（実施形態８）
このようにすれば、メニュー画面１４１または設定メニュー１４２を終了させて再表示させた時点だけでなく、メニュー項目または設定項目の切り替えをおこなった時点で、メニュー項目または設定項目の配列の設定が反映される画像表示装置１を実現できる。
【０１１０】
６．実施形態１〜３において、無線ＬＡＮの他、Ｂｌｕｅｔｏｏｔｈ（登録商標）など異なる無線通信規格による入力信号を検出した場合は、無線通信規格の種類に応じてメニュー項目または設定項目の配列を変更するものであってもよい。（実施形態９）
【０１１１】
このようにすれば、無線通信規格の種類に応じて、ユーザーが実際に選択したメニュー項目または設定項目を学習することにより、有線信号だけでなく無線信号の特性にも合ったより適切なメニュー項目または設定項目の表示を実現することができる。
【０１１２】
以上に述べたように、
（ｉ）この発明の画像表示装置は、入力端子の種別に係る入力信号の種類を検出する入力信号検出部と、複数の項目からなるメニュー画面を表示する表示部と、前記メニュー項目の配列を入れ替えるメニュー配列編集部、前記入力信号検出部、前記表示部および前記メニュー配列編集部を制御する制御部とを備え、前記制御部は、前記入力信号の種類に応じて前記メニュー項目の配列を前記メニュー配列編集部に入れ替えさせることを特徴とする。
【０１１３】
この発明において、「画像表示装置」は、動画、静止画または３Ｄ画像等の映像を表示する装置であり、例えば、テレビやコンピュータ（ＰＣ）、電子黒板等のディスプレイがあげられる。
また、ディスプレイとハードディスクとが一体型になった表示装置に限定されず、ディスプレイ単体の表示装置であってもよい。
また、画面上にタッチすることによって操作するタッチパネル機能を有する表示装置であってもよい。
また、据え置き型の表示装置に限定されず、スマートフォンやタブレット端末等の携帯型の表示装置であってもよい。
また、ディスプレイに画像が表示される表示装置に限定されず、例えば、プロジェクタのようにスクリーン上に画像が投影される表示装置であってもよい。
【０１１４】
「入力信号検出部」は、外部機器から入力された入力信号の有無および種類を検出する部分である。
「入力信号の種類」としては、例えば、ＶＧＡ端子やコンポーネント端子等のアナログ入力端子、ＤＶＩ端子やＨＤＭＩ端子やＤｉｓｐｌａｙＰｏｒｔ端子等のデジタル入力素子、またはＵＳＢコネクタ等の制御系の入力端子に係る入力信号があげられる。
また、入力信号の有無によらず、入力端子２３１〜２３４のいずれかに入力端子が物理的に接続されたか否かによって、入力信号の種類を検出するものであってもよい。
また、有線による入力信号の検出に限定されず、Ｂｌｕｅｔｏｏｔｈ（登録商標）や無線ＬＡＮなどの無線による入力信号を検出するものであってもよい。
また、例えば、ＶＧＡ（ＲＧＢ）端子のみを接続した場合と、ＶＧＡ（ＲＧＢ）端子および音声（ＲＣＡ）端子を接続した場合および音声（ＲＣＡ端子）のみを接続した場合のように、複数種類の入力信号の組み合わせに応じて、メニュー項目および設定項目の配列を変更するものであってもよい。
なお、入力信号からの入力がない場合は、予め設定されたデフォルトの設定項目の配列を反映させる。
【０１１５】
「前記入力信号の種類に応じて前記メニュー項目の配列を前記メニュー配列編集部に入れ替えさせる」は、入力信号の特性に基づき、選択頻度が高いと予め想定されるメニュー項目を優先させて表示させることである。
例えば、コンピュータの種類や解像度によって画面調整する機会が比較的多いと考えられるＶＧＡ（ＲＧＢ）端子などのアナログＰＣの映像端子においては、「画面調整」や「映像調整」の項目をメニュー画面の上位に優先的に表示させる。
なお、配列の入れ替えのタイミングとしては、メニュー画面を再度表示させた時点や入力信号の入力または入力信号の種類の変更があった時点などである。
【０１１６】
さらに、この発明の好ましい態様について説明する。
（ii）この発明による画像表示装置において、外部からの入力を受け付ける入力部と、前記入力部からの入力により選択された前記メニュー項目の選択結果を保持する記憶部をさらに備え、前記制御部は、１の前記メニュー項目が選択されたとき、前記メニュー項目に対応する画像を前記表示部に表示させ、前記メニュー項目の選択結果を前記入力信号の種類ごとに前記記憶部に保持させ、前記入力信号の種類および前記選択結果に基づき、前記メニュー項目の配列を前記メニュー配列編集部に入れ替えさせるものであってもよい。
【０１１７】
このようにすれば、入力信号の種類ごとのユーザーによるメニュー項目の選択結果を学習し、メニュー項目の配列に反映させることによって、メニュー項目の選択時におけるユーザーの利便性を向上させる画像表示装置を実現できる。
【０１１８】
「入力部」は、本体の操作パネルやリモコンである。また、画面上にタッチすることによって操作するタッチパネル機能を有する場合、メニュー項目を直接タッチしてユーザーからの設定を受け付けるようにしてもよい。
【０１１９】
「前記メニュー項目に対応する画像」は、メニュー項目の選択結果に応じて表示される画像である。
例えば、ディスプレイの左側に表示されたメニュー画面において「画面調整」のメニュー項目を選択したとき、ディスプレイの右側に「画面調整」の詳細な設定項目の画像が表示される。
【０１２０】
「前記入力信号の種類および前記選択結果に基づき、前記メニュー項目の配列を前記メニュー配列編集部に入れ替えさせる」は、例えば、ユーザーが選択したメニュー項目を優先させて表示させることである。
例えば、ユーザーが「映像調整」の項目を選択して映像調整をおこなった後、続いて「音声調整」の項目を選択して音声調整をおこなったとき、もっとも最近に選択されたメニュー項目を優先させて（すなわち「音声調整」、「映像調整」の項目順に）表示させる。
また、選択頻度順に表示させるようにしてもよい。
また、メニュー項目に対応する画像が複数の設定項目からなる場合、変更された回数順に表示させるようにしてもよい。
なお、配列の入れ替えのタイミングとしては、メニュー画面を新たに表示した時点や入力信号の入力または入力信号の種類の変更があった時点などである。
【０１２１】
（iii）この発明による画像表示装置において、前記制御部は、前記入力部からの入力により設定された前記メニュー項目の配列を前記入力信号の種類ごとに前記記憶部に保持させ、前記入力信号の種類および前記配列に基づき、前記メニュー項目の配列を前記メニュー配列編集部に入れ替えさせるものであってもよい。
【０１２２】
このようにすれば、入力信号の種類ごとのユーザーにより設定されたメニュー項目の配列の設定にしたがってメニュー項目を表示させることにより、メニュー項目の選択時におけるユーザーの利便性を向上させる画像表示装置を実現できる。
【０１２３】
また、入力信号の種類ごとのユーザーによるメニュー項目の選択結果と、ユーザーにより設定されたメニュー項目の配列の設定の両方をメニュー項目の配列に反映させるようにしてもよい。
【０１２４】
この場合、例えば、ユーザーにより設定されたメニュー項目の設定をデフォルトの設定として表示させ、ユーザーによるメニュー項目の選択があったときは、当該メニュー項目の選択結果を優先してメニュー項目の配列に反映させる。
このようにすれば、メニュー項目の初期設定時と、その後のメニュー項目の選択時の両方の段階において、ユーザーの意思を反映した利便性の高いメニュー項目の表示が実現できる。
【０１２５】
（iv）この発明による画像表示装置において、前記制御部は、前記メニュー項目の選択結果を前記記憶部に保持すべきか否かを前記入力部からの入力により設定可能にするものであってもよい。
【０１２６】
このようにすれば、入力信号の種類ごとのユーザーによるメニュー項目の選択結果を学習すべきか否かをユーザーが設定可能な画像表示装置を実現できる。
【０１２７】
なお、メニュー項目の選択結果を記憶部に保持すべきか否かを設定可能にする代わりに、選択結果をメニュー項目の配列に反映させるべきか否かを設定可能にするようにしてもよい。
【０１２８】
（ｖ）この発明による画像表示装置において、前記入力信号を入力する入力端子部をさらに備え、前記制御部は、前記入力端子部の接続状態に基づき前記メニュー項目の配列を前記メニュー配列編集部に入れ替えさせるものであってもよい。
【０１２９】
このようにすれば、入力信号の有無によらず、入力端子部への物理的な接続の有無を検出することにより、入力信号の種類の判定が可能な画像表示装置を実現できる。
【０１３０】
（vi）この発明による画像表示装置において、前記メニュー項目に対応する画像は、複数のサブメニュー項目からなるサブメニュー画面であり、前記制御部は、１の前記サブメニュー項目が選択されたとき、前記サブメニュー項目の選択結果を前記入力信号の種類ごとに前記記憶部に保持させ、前記制御部は、前記入力信号の種類および前記選択結果に基づき、前記サブメニュー項目の配列を前記メニュー配列編集部に入れ替えさせるものであってもよい。
【０１３１】
このようにすれば、入力信号の種類ごとのユーザーによるサブメニュー項目の選択結果を学習し、サブメニュー項目の配列に反映させることによって、メニュー項目のみならずサブメニュー項目の選択時におけるユーザーの利便性を向上させる画像表示装置を実現できる。
【０１３２】
「サブメニュー画面」は、メニュー項目の選択結果に応じて表示される第２のメニュー画面である。
例えば、ディスプレイの左側に表示されたメニュー画面において「画面調整」のメニュー項目を選択したとき、ディスプレイの右側に複数のサブメニュー項目を有する「画面調整」の設定メニューが表示される。
【０１３３】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味及び前記範囲内でのすべての変形とが含まれるべきである。
【符号の説明】
【０１３４】
１：画像表示装置、    １０：マイコン、    １１：信号検出部、    １２：スケーラー、    １３：画像メモリー、    １４：ディスプレイ、    １５：不揮発性メモリー、    １６：揮発性メモリー、    １７：バックライト、    １８：電源ユニット、    １９：ＤＣ−ＤＣコンバータ、    ２０：タイマ、    ２１：受光部、    ２２：通信部、    ２３：入力端子部、    １４０：設定画面、    １４１：メニュー画面、    １４２：設定メニュー、    １４３：グレーアウト表示項目、    ２３１〜２３４：入力端子
【図１】
2016018249.tif 000003
【図２】
2016018249.tif 000004
【図３】
2016018249.tif 000005
【図４】
2016018249.tif 000006
【図５】
2016018249.tif 000007
【図６】
2016018249.tif 000008
【図７】
2016018249.tif 000009
【図８】
2016018249.tif 000010
【図９】
2016018249.tif 000011
【図１０】
2016018249.tif 000012
【図１１】
2016018249.tif 000013
【図１２】
2016018249.tif 000014